(57)【要約】【課題】    従来のブルーレイディスクレコーダーで、ハイビジョンテレビの録画を２４１時間できる物があったが、その操作が一般の人や、老人または電気に詳しい人以外の、ビデオの録画はできないのが普通で、最早あきらめていた。そこで、本発明の録画再生システムは、ブルーレイディスクレコーダーで、ハイビジョンテレビの録画を２４１時間できる物があったが、ディスク板（１）にトラック（１ａ）を１２本にして、録画時間を２０時間にしても、番組を全て録画するため、録画するとき操作が簡単であり、１２台分の役目を果たすものである。【解決手段】    ディスク板（１）には１２本のトラック（１ａ）と、情報を録画、再生するための光ピックアップ（２）が１２個あり、その光ピックアップ（２）に繋がる変換器は、それぞれのチャンネルを固定しているため、録画の操作が簡単になる。【選択図】  図１
2011129225.tif 000002
【特許請求の範囲】
【請求項１】
ディスク板（１）には、トラック（１ａ）が構成されており、
該トラック(1ａ)の中にはピット（１ｂ）があり、該ピット（１ｂ）で情報を記録する、該トラック（１ａ）が複数本あり、
該ディスク板（１）の情報を録画、再生するための光ピックアップ（２）が、該トラック（１ａ）と同じ数だけ構成し、
複数の該光ピックアップ（２）に繋がる変換器は、それぞれのチャンネルを固定しているため、録画の操作が簡単になることを特徴とする録画再生システム。
【発明の詳細な説明】
【技術分野】
【０００１】
本発明は、全ての番組を録画するので、操作が簡単な録画再生システムに関するものである。
【背景技術】
【０００２】
従来の、波長が短い青色のレーザーは、コンパクトディスク（ＣＤ）、ディタル多用途ディスク（ＤＶＤ）などに用いられる。光ディスク用のレーザー光は、波長が短い方が絞り込みやすく、高密度な記録が容易になる。
このため、従来の赤色レーザーにかわるものとして、青色半導体レーザーが、とくにＤＶＤ用に開発された。青色半導体レーザーを用いることによって、１２センチメートル径のＤＶＤディスクに、赤色レーザー方式の数倍の容量の、片面１５〜３０キガバイトを記録する技術がすでに確立されている。
その青色半導体レーザーを用いたブルーレイディスクレコーダーで、ハイビジョンテレビの録画を２４１時間録画できる物があった。（Ｈ２１年）
【０００３】
また、出願されている物の中には特開２００８−４８３３７の名称、録画再生システムは、多量の情報処理ができるため、音声言語は最大で８言語、字幕言語（サブピクチャ）は最大３２言語間で録音することができ、その機器間をＨＤＭＩで接続することにより、ＤＶＤ再生時の言語設定を不要にし、煩わしい操作を行うことなくＤＶＤを視聴することができる物もあった。
【先行技術文献】
【特許文献】
【０００４】
【特許文献１】特開２００８−４８３３７
【特許文献２】特開２００３−１２９７４３
【特許文献３】特開２００２−２０６３６９
【発明の概要】
【発明が解決しようとする課題】
【０００５】
従来の、青色のレーザーは、コンパクトディスク（ＣＤ）、ディタル多用途ディスク（ＤＶＤ）などに用いられる。光ディスク用のレーザー光は、波長が短い方が絞り込みやすく、高密度な記録が容易になる。青色半導体レーザーを用いることによって、１２センチメートル径のＤＶＤディスクに、赤色レーザー方式の数倍の容量の、片面１５〜３０キガバイトを記録する技術がすでに確立されている。ブルーレイディスクレコーダーで、ハイビジョンテレビの録画を２４１時間できる物があったが、その操作が一般の人には無理であった。
【０００６】
また、出願されている物の中には特開２００８−４８３３７の名称録画再生システムは、多量の情報処理ができるため、音声言語は最大で８言語、字幕言語（サブピクチャ）は最大３２言語間で録音することがでても、ビデオや、ＤＶＤは、作っている人には色々な装置や、機能を取り付けていたが、老人または電気に詳しい人以外の、ビデオの録画はできないのが普通で、最早あきらめていた。
【０００７】
世の中の人（一般消費者）は、テープレコーダまでは操作できても、ビデオの操作は難しく、ましてＤＶＤの操作など、一般の人には無理であった。その一つの原因は、機能が沢山ついているものが、良い品物だと信じているから、スイッチの数が多くなっていた。私の家では、テレビの音がおかしいと、部屋を覗いて見ると、８０歳の両親が、音声多重の放送で英語の番組を見ていた。この様なことが無いように、リモコンのスイッチを接着剤でくっつけることも考えた。テレビ、ＤＶＤなど、使う人に優しい製品を、作って欲しいものである。
【０００８】
そこで、本発明の録画再生システムは、ブルーレイディスクレコーダーで、ハイビジョンテレビの録画を２４１時間できる物があったが、ディスク板（１）のトラック（１ａ）を１２本にして、録画時間を２０時間にしても、録画の操作が簡単になる方がよい、録画再生システムを提供するものである。
【課題を解決するための手段】
【０００９】
上記目的を達成するために、録画再生システムは、ディスク板（１）には、トラック（１ａ）が構成されており、そのトラック（1ａ）の中にはピット（１ｂ）で情報を記録する、該トラック（１ａ）が複数本ある。
そのディスク板（１）の情報を録画、再生するための光ピックアップ（２）が、該トラック（１ａ）と同じ数だけ揃えている。
また、複数の該光ピックアップ（２）に繋がる変換器は、それぞれのチャンネルを固定しているため、録画の操作が簡単になることで目的を達成した。
【発明の効果】
【００１０】
本発明の録画再生システム、次のような効果がある。
（イ）このＤＶＤ（５）は、１２台分の働きをするものである。
（ロ）時間を指定しただけで、簡単に録画できる。
（ハ）再生は、テレビの操作をビデオに切り替えただけで、後はチャンネルを選んで選局できる。
（ニ）この録画再生システムは、時間で全ての番組を録画しているため、裏番組も録画できる。
（ホ）出かけているとき、録画の時間さえ伝えれば、録画しておいてくれるので、何に興味があるかが分からないので、プライバシーの面で良い。
（へ）ケーブルテレビなどの業者は、何日の何時からの電波を流してほしいと電話すれば、それだけで見たい番組を見られる。
【図面の簡単な説明】
【００１１】
【図１】図は、ディスク板（１）と、光ピックアップ（２）の模式図である。
【図２】図は、再生しているときのフロー図である。
【発明を実施するための最良の形態】
【００１２】
本発明の録画再生システムは、ディスク板（１）には記録媒体を記録するトラック（１ａ）があり、その中にあるピット（１ｂ）のある、なしで情報を記録する。そのトラック（１ａ）が１２本あり、そのディスク板（１）の情報を録画、再生するための光ピックアップ（２）も１２個具備されている。
【００１３】
したがって、通常テレビの１２局全部を録画、再生しているので、煩わしいチャンネル（３）設定をしなくてすみ、再生は放送局からの信号を遮断し、ビデオにスイッチを切り替えると、ＤＶＤ（５）はディスク板（１）のトラック（１ａ）の情報を、デジタルを各電波に変換して、ケーブル（６）を介して送るため、後はチャンネルで自由に選べる。  つまり、ビデオにするとタイムスリップを起したように、そのときの番組と裏番組が同時に録画されている。
【実施例１】
【００１４】
本発明の録画再生システムを、理想は１２局だが、図面の都合で７局の場合を、図面を参照して説明する。
図１は、ディスク板（１）の拡大した断面を表した図と、光ピックアップ（２）の模式した図である。その図のディスク板（１）には、トラック（１ａ）が７本あり、第１チャンネルは「ＮＨＫ総合」で、第２チャンネルは「ＮＨＫ教育」で、第３チャンネルは「日本テレビ」で、第４チャンネルは「朝日テレビ」で、第５チャンネルは「東京テレビ」で、第６チャンネルは「フジテレビ」で、第７チャンネルは「ＢＳ」である。左隣には１周回ったトラック（１ａ）がある。トラック（１ａ）にはピット（１ｂ）があり、そのピット（１ｂ）がある、なしで情報を読み取る光ピックアップ（２）も７個、構成されている。
【００１５】
録画するときは、アンテナ（７）で電波を受け、ケーブル（６）を介してＤＶＤ（５）の機械に入り、各放送局の電波を分け、それぞれの電波を、変換器を通してデジタル信号に替えて光ピックアップ（２）より、ディスク板（１）のトラック（１ａ）に書き込む。したがって、録画するときの操作は簡単で、ＤＶＤ（５）の機械の赤いライト（録画）が点灯していれば、録画しているので失敗はしない。
【００１６】
また老人などは、その操作が面倒なため、テープレコーダの操作と同じ位のスイッチの数が望ましい。そこでタイマーをなくして、録画するときは朝から晩まで録画しても、２０時間の録画ができるものであるから、多少電気代はいっても、老人に優しい電気再品になる。
【００１７】
図２は、ＤＶＤ（５）を再生しているときのフロー図であり、テレビ（４）の放送を生からビデオに切り替えると、放送局から来た電波はアンテナ（７）を遮断しているので図は、点線で表している。本発明のＤＶＤ（５）は、ディスク板（１）のトラック（１ａ）に刻まれたピット（１ｂ）の情報を光ピックアップ（２）装置が読取り、デジタル信号に替え、それを変換器で電波に変えたものが７つあり、それらを纏めて、その電波はケーブル（６）を介してテレビ（４）に入る。
【００１８】
したがって、生番組（放送局からの番組）かビデオを選ぶことでケーブル（６）の配線が決まり、ビデオを選択すると後はチャンネル操作で自由に見ることができる。例えば、第２チャンネルの「ＮＨＫ教育」を見るときは、テレビ（４）をビデオにして、チャンネルを２にすると「ＮＨＫ教育」が見ることができ、そのときのフジテレビが気になれば、チャンネルを６にすることで、第６チャンネルは「フジテレビ」で、観賞できる。  以上のように同時に再生して、それを録画したときの電波に戻し、ケーブル（６）を介してテレビ（４）に伝えることで、まるで時間が逆戻りしたように選局が簡単である。
【産業上の利用可能性】
【００１９】
ケーブルテレビなどの放送代理の業者は、放送を全て録画することは簡単であるから、何月何日の何時からの放送の電波を流して欲しいと連絡すれば、その様に電波が流れる。  それと、何かに事件、事故などで、各放送局が色々な放送をしているとき、度の局がどのように放送したかが良く分かる。
【符号の説明】
【００２０】
１  ディスク板        １ａ  トラック      １ｂ  ピット
２  光ピックアップ    ４  テレビ          ５  ＤＶＤ
６  ケーブル          ７  アンテナ
【図１】
2011129225.tif 000003
【図２】
2011129225.tif 000004
【手続補正書】
【提出日】平成22年2月3日(2010.2.3)
【手続補正１】
【補正対象書類名】特許請求の範囲
【補正対象項目名】請求項１
【補正方法】変更
【補正の内容】
【請求項１】
ディスク板（１）には、トラック（１ａ）の中にあるピット（１ｂ）で情報を記録する、該トラック（１ａ）が複数本あり、
該ディスク板（１）の情報を録画、再生するための光ピックアップ（２）が、該トラック（１ａ）と同じ数だけ揃え、
複数の該光ピックアップ（２）に繋がる変換器は、それぞれのチャンネルを固定しているため、録画の操作が簡単になり、
再生するときは、受信している電波を遮断し、
該ディスク板（１）の情報を、該光ピックアップ（２）で読み取り、
その情報を、変換器で電波に替えてから一つに纏め、ケーブル（６）を介してテレビ（４）に伝えることを特徴とする録画再生システム。